(57)【特許請求の範囲】
【請求項１】
通信手段として、宛先番号を１桁ずつ入力する数字ダイヤルキー群を備える装置において、各々の数字ダイヤルキーに特定の宛先番号を登録する記憶手段と、各々の数字ダイヤルキーに登録された宛先番号に対応する登録先名称を明示する手段を備え、前記数字ダイヤルキーを用いたワンタッチダイヤルキーに登録される宛先番号からの着信時は、該着信に該当するワンタッチダイヤルキーを点灯表示もしくは他のキーと判別可能とする手段を備え、ワンタッチダイヤル非登録番号からの着信時は、着信専用として設けるワンタッチダイヤル非登録（その他着信）キーを点灯表示もしくは他のキーと判別可能とする手段を備え、不在着信時はその該当キーを点滅表示もしくは他のキーと判別可能とする手段で報知を継続して着信処理を行う制御手段を備え、発信時の通話方式は、数字ダイヤルキーを用いたワンタッチダイヤルキーの操作により登録された宛先番号を読み出し発信する機能と同時にスピーカ通話の開始を認識し、またゼロキーなどの任意の特定操作により１桁ずつ入力して発信する機能を認識すると同時にスピーカ通話の開始を認識し、着信時の通話方式においては、ワンタッチダイヤル登録先からの場合は該当キーを、非登録先からの場合はワンタッチダイヤル非登録（その他着信）キーの操作でスピーカ通話を開始する制御手段を備えたことを特徴とする通信端末装置。
【請求項２】
請求項１記載の通信端末装置において、ワンタッチダイヤル非登録番号からの着信のみをワンタッチダイヤル非登録（その他着信）キーなどの任意の特定操作により留守番電話機能に設定可能とし、該着信からのメッセージを格納、報知、再生及び消去する制御手段を備えたことを特徴とする通信端末装置。
【発明の詳細な説明】
【技術分野】
【０００１】
本発明は、簡単明瞭な操作で通信を成立させることを目的とする通信端末装置に関するものである。
【背景技術】
【０００２】
従来の通信端末装置には、簡単な通信操作のための手段として、あらかじめ特定の宛先番号を記憶させワンタッチで発着信が可能なワンタッチダイヤルキー（以下、ワンタッチダイヤルキー）を少数有するものがある（例えば、特許文献１参照。）。
また、宛先番号を１桁ずつ入力する０から９までの数字及び＊＃の記号ダイヤルキー（以下、数字ダイヤルキー）とワンタッチダイヤルキーを兼用させるものがある（例えば、特許文献２参照。）。
【０００３】
以下、特許文献１の携帯電話機について説明する。ワンタッチダイヤルキーを表面に１個設け特定の登録先と通信する。その他の機能は本体に付する開閉可能な蓋体を開放し、その後露呈される基本操作面でワンタッチダイヤルキー発着信以外の操作をするものである。
【０００４】
また、特許文献２の電話装置は、数字ダイヤルキーとワンタッチダイヤルキーを兼用することで多数のワンタッチダイヤルを登録可能とし、数字ダイヤルキー機能とワンタッチダイヤルキー機能の判別方法はモードの切り替えや押下時間の監視により成り立っている。
【０００５】
【特許文献１】特開平９−６４９５０
【特許文献２】特開平７−１６２４９８
【発明の開示】
【発明が解決しようとする課題】
【０００６】
以上に述べた従来の特許文献１の携帯電話機では、少数のワンタッチダイヤルキーしか備えられず、基本操作面をより小さく設けワンタッチダイヤルキーのためのスペースを確保するか、操作面を別に設けるなどの手段を講じなければならなかった。
【０００７】
また、特許文献２の電話装置のワンタッチダイヤルキーを別に設けずに数字ダイヤルキーと兼用する方法においては、モード切り替えのオンオフ操作やキーの長押し短押しの操作を伴うなど、現在の設定状況がワンタッチダイヤルキーモードであるのか、数字ダイヤルキーモードであるのか、また、押下時間の使い分けによる操作は確認や注意を要しながら使用しなければならず誤動作を招く事態が生じた。
【０００８】
さらに、多機能型になるにつれ各々のキーは小型化しその操作性は複雑になる一方である。通話が主なユーザにとって、家族のひとりひとりが所持する携帯型電話機への発信に伴う１１桁の番号入力作業はかなり煩わしいこととなる。
【０００９】
特に高齢者の場合は、以前から扱えていたにも関わらず使用方法を除々に忘れるようになったり、通話後ハンドセットを所定の位置やクレイドルに納められず、ハンドセットが上ったままになり連絡が取れなかったなどの事例をよく耳にする。
【００１０】
勿論、ある程度の手順に基づき、電話帳データベースの履歴や検索モードの宛先表示操作による発信や、宛先の短縮ダイヤル番号を覚えていれば２、３個のキーの押下操作で発信可能であり１桁ずつ入力する必要はないものの緊急時の通話手段としては好ましいものではなかった。
【００１１】
本発明は、このような従来の構成が有していた問題を解決しようとするものであり、ひとつの動作で通話が開始され健常者のみならず身障者や子供、高齢者が扱い易いユニバーサルデザインに基づく機能性や安全性を備える通信端末装置を実現することを目的とするものである。
【課題を解決するための手段】
【００１２】
そして、本発明の上記目的を達成するための第１の課題解決手段は、着信の判別処理方法である。数字ダイヤルキーを用いたワンタッチダイヤルキーとしての機能、及び各々の数字ダイヤルキーに登録された宛先番号の登録先名称を明示する手段を備え、数字ダイヤルキーを用いるワンタッチダイヤルキーにそれぞれ登録された宛先番号からの着信時は、該当するワンタッチダイヤルキーを点灯させるなどの手段で発呼者の識別を可能とする。この時、ワンタッチダイヤルキー非登録番号からの着信においては、着信専用のワンタッチダイヤル非登録（その他着信）キーを設け、一括して該着信であることを点灯させるなどの手段で表示する構成としたものである。さらに、不在着信時は前記該当キーを点滅させるなどの異なる手段で着信が発生していたことを報知し、本装置に対する次操作を得られるまで継続し報知する構成としたものである。
【００１３】
また、第２の課題解決手段はその通話方式である。発信時において、数字ダイヤルキーを用いたワンタッチダイヤルキーの操作と同時にスピーカ通話も開始され、宛先番号を１桁ずつ入力する場合においては、該操作認識のための前操作である数字ダイヤルキーの中のゼロキーなどの操作と同時にスピーカ通話も開始され、続いて宛先番号を１桁ずつ入力し発信する。ワンタッチダイヤル発信及び１桁ずつ入力する発信のいずれも数字ダイヤルキー以外に増設される単独のスピーカ通話切替キーを必要とせず、一回の操作で発信認識とスピーカ通話認識の２つの機能を実行することを可能とし、着信時においてはワンタッチダイヤル登録先であれば該当するキーを、非登録先からの場合はワンタッチダイヤル非登録キーの操作ひとつでスピーカ通話を開始出来る構成としたものである。
【００１４】
次に、第３の課題解決手段はその留守番電話機能である。ワンタッチダイヤルキーに登録された宛先番号と非登録の宛先番号を区別し、非登録の宛先番号からの着信だけを留守番電話機能に切り替えメッセージを受け取り格納、報知、再生及び消去を行う構成としたものである。
【００１５】
上記第１の課題解決手段による作用は次の通りである。登録先に応じたワンタッチダイヤルキーの着信点灯で離れた位置からでも発呼者を識別し通話を開始することが可能であり早見表やディスプレイ部を必要としない。ワンタッチダイヤル非登録発呼者からの着信であることを示すワンタッチダイヤル非登録キーが点灯した場合は、家族、知人以外からの着信である可能性が高いことをあらかじめ認識し通話を開始することができる。そして、不在着信時は、ワンタッチダイヤルキーに残された点滅表示により一目で発呼者を認識し、かけ直すことができる。
【００１６】
また、第２の課題解決手段による作用は、スピーカ通話を常態時の通話方式とすることで、専用のスピーカ通話切替キーを設ける必要がなく、１２個の数字ダイヤルキーのみの最小限のキー設定でスピーカ通話が実行可能であり、特に数字ダイヤルキーを用いたワンタッチダイヤルキー発信の場合は操作ひとつでそのままハンズフリーの会話が出来る。また、ハンドセットによる通話方式で会話したい場合はハンドセットの持ち上げで切替が可能である。
【００１７】
次に、第３の課題解決手段による作用は、ワンタッチダイヤルキー登録先からの着信は応答可能な状態であるが、非登録先からの営業または勧誘などの迷惑な通信などを含む着信については応答したくない場合、該着信のみを区別し留守番電話機能に切り替えておくことでメッセージの受領後、内容を確認し対応することができる。
【発明の効果】
【００１８】
上述したように本発明の通信端末装置は、ワンタッチダイヤルキー登録先からの着信はディスプレイ部を備えなくても、該当するキーの点灯表示により識別可能としたことで、少し離れた位置からでもその発呼者を認識しながら近づけることと、ワンタッチダイヤル非登録者からの着信であることを認識しながら通話を開始できることで安心感を得られる。
【００１９】
また、発着信動作と同時にスピーカ通話が開始されることで、手元を気にせず楽な姿勢でゆっくり通話を楽しむことが可能となる。
【００２０】
次に、ひとりで在宅している時に、緊急事態が発生しいち早く家族や近隣の知人に窮状を知らせたい場合、ひとつの動作で発信しスピーカ通話となることで即座に発呼者の周りの様子も受話者に伝わり、受話者が携帯型電話機であれば声を掛ながら駆けつけることも可能である。また、家族などが近くにいない場合は、近隣の知人に連絡を取るなどの早い対処が可能となりセキュリティ面での利用価値も期待できる。
【００２１】
そして、ワンタッチダイヤル非登録者の着信を区別して留守番電話機能に設定可能としたことで、ワンタッチダイヤルキーに登録された家族や知人に対しては通常に通話し、非登録者に対しては、営業や勧誘、間違い電話や犯罪性の高い通信を含む可能性があるため残されたメッセージの内容で通信の意図を確認し対処可能とすることで防犯対策としての機能も発揮する。
【発明を実施するための最良の形態】
【００２２】
以下、本発明の実施の形態を図１〜図４に基づいて説明する。
【００２３】
図１においては、本発明による固定型電話機の主操作部の正面図を示す。１は装置本体で、ワンタッチダイヤルキー２群、ワンタッチダイヤル非登録（その他着信）キー３の大型キーが主に配置され、通話終了キー４、外線キー５、機能キー９を備える。スピーカ６、マイクロフォン７、ボリュームコントローラ８、ハンドセット１０が通話機能部として附帯する。
【００２４】
それぞれのワンタッチダイヤル登録先からの着信時は呼び出し音と共に該当するキー２の点灯表示により報知される。ワンタッチダイヤル非登録先からの着信は、呼び出し音と共にワンタッチダイヤル非登録（その他着信）キー３の点灯表示により報知され、不在着信時はその発呼者に該当するキーを点滅させ装置本体に対する何らかの次操作を認識するまで継続して報知する。
【００２５】
次に、発着信時の通話方式において、ワンタッチダイヤルキー２、ワンタッチダイヤル非登録（その他着信）キー３、及び、外線キー５または数字ダイヤルキーの「０」などの操作を行なうと同時に、スピーカ６とマイクロフォン７を使用するスピーカ通話が開始されハンズフリーとなる。ハンドセット１０を備える場合は、その持ち上げ操作により従来の通話方式に切り替えられる。
【００２６】
さらに、ワンタッチダイヤル非登録着信のみをワンタッチダイヤル非登録（その他着信）キー３の長押し操作または機能キー９による特定操作により留守番電話機能に切り替える。残されたメッセージはワンタッチダイヤル非登録（その他着信）キー３の操作または機能キー９による特定操作により再生が始まり、繰り返し聞く場合は同操作を行い任意の特定操作によりメッセージは消去される。
【００２７】
ここで、ワンタッチダイヤルキーへの宛先番号登録手順について述べる。機能キー９などにより登録作業の認識モードに切り替え、ワンタッチダイヤルキー２群のうち登録を指定するキーを操作することで特定され、続いて宛先番号を数字ダイヤルキーを用いて１桁ずつ入力し機能キー９の操作で確定する。
【００２８】
図２は、本発明の携帯型電話機への応用である。装置本体１にディスプレイ１１を備える場合は、ワンタッチダイヤルキー２群に該当するキー配列を表示し登録先を明示し、ワンタッチダイヤルキー２の操作で通話が開始される。ディスプレイ部を備えない場合は、固定型電話機と同様、大型のワンタッチダイヤルキー２を設ける。
【００２９】
図３は、本実施例の装置の要部を示すブロック図である。同図において、Ｐ１はアンテナであり、固定型電話機の場合は通信回線となる。Ｐ２はスピーカ、マイクロフォン機能を含む送受信部、Ｐ３は各種の機能を備えるキー群で構成される操作部、ここにワンタッチダイヤルキーも含まれる。Ｐ４は電話帳データベース部でありワンタッチダイヤル登録番号も格納される。Ｐ５が装置全体の制御を行う制御部でありタイマー部も含む。Ｐ６は電源管理部、Ｐ７はディスプレイなどを備えている場合の表示部、Ｐ８は留守番電話機能部である。
【００３０】
上記の構成において、送受信部Ｐ２はアンテナＰ１を経由して受信した音声通信データを音声信号に変換しスピーカへ伝達し、またマイクロフォンから入力される音声信号を変換し音声通信データとしてアンテナＰ１から送信する。
【００３１】
発信動作時は、操作部Ｐ３からの指示を受け制御部Ｐ５が電話帳データベース部Ｐ４内の記憶照合を基に発信制御を行い、送受信部Ｐ２よりアンテナＰ１を経由して宛先へ呼び出し信号が送られる。
【００３２】
着信動作時は、送受信部Ｐ２がアンテナＰ１を経由して受信した信号を制御部Ｐ５が認識し、呼び出し音または呼び出し点灯などの手段で報知する。
【００３３】
図４は本実施例の装置における着信処理のフローチャート図である。スタンバイモードからＳ２０１でワンタッチダイヤルキーの音及び点灯呼び出しを問い、ＮＯであればＳ２０６へ進む。ＹＥＳであればＳ２０２へ進み、ここで該当する点灯キー操作の確認を問われ、ＮＯであればＳ２０３へ進む。ＹＥＳであればＳ２０４の通話モードに入り、その後Ｓ２０５で通話終了キー操作の確認を問い、ＹＥＳであればスタンバイモードへ戻る。ＮＯであればＳ２０４の通話モードへ戻る。
【００３４】
また、Ｓ２０１から問われ、ＮＯであればＳ２０６へ進み、ワンタッチダイヤル非登録（その他着信）キーの音及び点灯呼び出しを問い、ＮＯであればスタンバイに戻る。ＹＥＳであればＳ２０７へ進み、そこで留守番電話機能が作動中であるかを問い、ＮＯであればＳ２０２へ進む。ＹＥＳであれば、Ｓ２０８で伝言格納作業が指示され、Ｓ２０９で伝言の格納を終了し、Ｓ２１０で着信及び格納されたメッセージがあることをワンタッチダイヤル非登録（その他着信）キーの点滅表示により報知しスタンバイモードへ戻る。
【００３５】
さらに、Ｓ２０２から問われ、ＮＯであればＳ２０３へ進み、発呼者に該当するワンタッチダイヤルキーの点滅表示により報知し、スタンバイモードへ戻る。
【００３６】
以上のように、本実施形態によれば、ディスプレイ部を備えなくてもキーの点灯や点滅などの手段で発呼者を識別可能とし、スピーカ通話機能により手元を気にせず通話を楽しめ、発呼者がワンタッチダイヤルキー非登録者の場合は登録者と区別して留守番電話機能を設定することが出来る。
【００３７】
よって、扱い易い通信端末装置によりユニバーサルデザインに基づく機能性と安全性を提供する。
【図面の簡単な説明】
【００３８】
【図１】本発明の実施形態を示す固定型電話機の主操作部の正面図である。
【図２】本発明の実施形態を示す携帯型電話機の主操作部の正面図である。
【図３】実施例の装置における要部のブロック図である。
【図４】実施例の装置における着信処理のフローチャート図である。
【符号の説明】
【００３９】
１    装置本体
２    ワンタッチダイヤルキー
３    ワンタッチダイヤル非登録（その他着信）キー
４    通話終了キー
５    外線キー
６    スピーカ
７    マイクロフォン
８    ボリュームコントローラ
９    機能キー
１０  ハンドセット
１１  ディスプレイ
【図１】
0004141490.tif 000002
【図２】
0004141490.tif 000003
【図３】
0004141490.tif 000004
【図４】
0004141490.tif 000005